【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
内部に複数の開口を形成してアレイを構成するフレームと、
開口の各々の内部にシール状態で配されるアノード側部を有する燃料電池と、
上記燃料電池のアノード側において上記フレームとシール状態で取り付けられる背面カバーと、
上記背面カバーに結合され、燃料サプライに結合可能な燃料入口と、
上記フレームおよび上記背面カバーの間に形成されたチャンバーとを有し、
上記チャンバーは、上記燃料サプライと流体的に結合可能であり、上記燃料電池の各々は上記チャンバーと流体的に接触し、燃料が上記燃料サプライから上記チャンバーを介して分散されて上記燃料電池のアノード側部に供給される燃料電池組立体。
【請求項２】
上記背面カバーの基部から少なくとも１つの燃料電池へ伸びる少なくとも１つの支持部をさらに有する請求項１記載の燃料電池組立体。
【請求項３】
各支持部は上記基部から伸びて上記フレームにシール状態で連結される少なくとも１つの側壁を有し、上記側壁は上記燃料電池のアノード側部を包囲して上記チャンバーを複数の区画に分割し、少なくとも１つのチャネルが１つの区画を少なくとも１つの隣接する区画に流体的に連結する請求項２記載の燃料電池組立体。
【請求項４】
少なくとも１つの付加的な燃料ポートを有する請求項１記載の燃料電池組立体。
【請求項５】
上記少なくとも１つの燃料ポートは入口であり、複数の燃料入口が組立体内部に並べられ、燃料が上記複数の燃料入口を介して案内されるときに円形の流れパターンが形成される請求項４記載の燃料電池組立体。
【請求項６】
少なくとも２つの燃料電池が少なくとも２つの異なるプレーンに配すことが可能であるように上記フレームおよびカバーが少なくとも１つの軸に沿って調整可能である請求項１記載の燃料電池組立体。
【請求項７】
上記少なくとも１つの付加的な燃料ポートは出口である請求項４記載の燃料電池組立体。
【請求項８】
上記少なくとも２つの燃料電池はヒンジによって相互に取り付けられている請求項６記載の燃料電池組立体。
【請求項９】
上記フレームおよびカバーは可撓性材料を有する請求項６記載の燃料電池組立体。
【請求項１０】
上記第１の燃料電池は上記少なくとも１つの第２の燃料電池と電気的に直列に接続される請求項１記載の燃料電池組立体。
【請求項１１】
上記第１の燃料電池は上記少なくとも１つの第２の燃料電池と電気的に並列に接続される請求項１記載の燃料電池組立体。
【請求項１２】
機能部品に電気的に接続された少なくとも１つの燃料電池を有する電力モジュールにおいて、上記機能部品は上記少なくとも１つの燃料電池から生成された電気を収集し上記電気を調整した後に当該調整した電気を電子装置に供給し、上記少なくとも１つの燃料電池および上記機能部品が単一構造によって支持される電力モジュール。
【請求項１３】
内部に複数の開口を形成してアレイを構成するフレームと、
上記燃料電池のアノード側において上記フレームとシール状態で取り付けられる背面カバーと、
上記背面カバーに結合され、燃料を含有する燃料サプライに結合可能な燃料入口と、
上記フレームおよび上記背面カバーの間に形成されたチャンバーとを有し、
上記チャンバーは、上記燃料サプライと流体的に結合可能であり、上記燃料電池の各々は上記チャンバーと流体的に接触し、燃料が上記燃料サプライから上記チャンバーを介して分散されて上記燃料電池のアノード側部に供給され、
上記少なくとも１つの燃料電池が上記複数の開口の少なくとも１つの内部にシール状態で配される請求項１２記載の電力モジュール。
【請求項１４】
上記機能部品はＤＣ−ＤＣコンバータ、オペアンプ、および電力安定化器からなるグループから選択される請求項１２記載の電力モジュール。
【請求項１５】
上記機能部品は特定用途向け集積回路（ＡＳＩＣ）チップである請求項１２記載の電力モジュール。
【請求項１６】
少なくとも２つの燃料電池が少なくとも２つの異なるプレーンに配すことが可能であるように上記フレームおよびカバーが少なくとも１つの軸に沿って調整可能である請求項１２記載の電力モジュール。
【請求項１７】
（ｉ）少なくとも１つの燃料電池および単一のプリント基板（ＰＣＢ）に配された機能部品を設けるステップと、
（ｉｉ）燃料を燃料サプライから上記少なくとも１つの燃料電池に搬送して燃料電池反応を開始させて初期電流を生成するステップと、
（ｉｉｉ）上記機能部品は上記フレーム側に配されて上記アレイ中の上記少なくとも１つの燃料電池と、電子装置とに電気的に接続されており、上記機能部品を用いて上記初期電流を利用可能電流に変換するステップと、
（ｉｖ）上記利用可能電流を上記機能部品から上記電子部品に搬送するステップとを有する、電子装置に電気を供給する方法。
【請求項１８】
ステップ（ｉ）は、少なくとも１つの燃料電池のアレイを設けるステップを有し、燃料電池の各々はアノード側部およびカソード側部を有し、上記アレイはフレーム中に配列され、背面カバーが上記フレームとシール状態で取り付けられて上記燃料電池の上記アノード即部および上記背面カバーの間にチャンバーが形成される請求項１７記載の方法。
【請求項１９】
上記機能部品は特定用途向け集積回路（ＡＳＩＣ）チップである請求項１７記載の方法。
【請求項２０】
上記単一構造はプリント基板である請求項１２記載の電力モジュール。
【手続補正２】
【補正対象書類名】明細書
【補正対象項目名】００４１
【補正方法】変更
【補正の内容】
【００４１】
ここに開示したこの発明の説明的な実施例がこの発明の目的を実現することは明らかであるが、多くの変形令や他の実施例を当業者がなし得ることに理解されたい。さらに、いずれの実施例の特徴および／または要素が、単一でも、また、他の実施例の特徴および／または要素と組みあわせても採用できる。したがって、添付の特許請求の範囲は、これらすべての変形例や実施例をカバーすることを意図し、これらはこの発明のその趣旨および範囲内のものであることは、容易に理解できる。ここで検討したすべての特許文献は、特許、特許出願、論文を含み、またこれに限定されないが、その内容は参照してここに組み入れられる。
以下、この発明の技術的特徴を列挙する。
［技術的特徴１］
内部に複数の開口を形成してアレイを構成するフレームと、
開口の各々の内部にシール状態で配されるアノード側部を有する燃料電池と、
上記燃料電池のアノード側において上記フレームとシール状態で取り付けられる背面カバーと、
上記背面カバーに結合され、燃料サプライに結合可能な燃料入口と、
上記フレームおよび上記背面カバーの間に形成されたチャンバーとを有し、
上記チャンバーは、上記燃料サプライと流体的に結合可能であり、上記燃料電池の各々は上記チャンバーと流体的に接触し、燃料が上記燃料サプライから上記チャンバーを介して分散されて上記燃料電池のアノード側部に供給される燃料電池組立体。
［技術的特徴２］
上記背面カバーの基部から少なくとも１つの燃料電池へ伸びる少なくとも１つの支持部をさらに有する技術的特徴１記載の燃料電池組立体。
［技術的特徴３］
上記少なくとも１つの支持部は柱部である技術的特徴１記載の燃料電池組立体。
［技術的特徴４］
各支持部は上記基部から伸びて上記フレームにシール状態で連結される少なくとも１つの側壁を有し、上記側壁は上記燃料電池のアノード側部を包囲して上記チャンバーを複数の区画に分割し、少なくとも１つのチャネルが１つの区画を少なくとも１つの隣接する区画に流体的に連結する技術的特徴２記載の燃料電池組立体。
［技術的特徴５］
少なくとも１つのチャネルは上記燃料入口に結合される技術的特徴４記載の燃料電池組立体。
［技術的特徴６］
上記燃料入口および上記少なくとも１つのチャネルに結合されたバルブをさらに有する技術的特徴５記載の燃料電池組立体。
［技術的特徴７］
少なくとも１つの付加的な燃料ポートを有する技術的特徴１記載の燃料電池組立体。
［技術的特徴８］
上記少なくとも１つの燃料ポートは入口であり、複数の燃料入口が組立体内部に並べられ、燃料が上記複数の燃料入口を介して案内されるときに円形の流れパターンが形成される技術的特徴７記載の燃料電池組立体。
［技術的特徴９］
第１の燃料入口が上記燃料電池組立体の第１端部に配され、第２の燃料入口が上記燃料電池組立体の反対の端部に配される技術的特徴７記載の燃料電池組立体。
［技術的特徴１０］
少なくとも２つの燃料電池が少なくとも２つの異なるプレーンに配すことが可能であるように上記フレームおよびカバーが少なくとも１つの軸に沿って調整可能である技術的特徴１記載の燃料電池組立体。
［技術的特徴１１］
上記少なくとも１つの付加的な燃料ポートは出口である技術的特徴７記載の燃料電池組立体。
［技術的特徴１２］
上記少なくとも２つの燃料電池はヒンジによって相互に取り付けられている技術的特徴１０記載の燃料電池組立体。
［技術的特徴１３］
上記フレームおよびカバーは可撓性材料を有する技術的特徴１０記載の燃料電池組立体。
［技術的特徴１４］
少なくとも１つの電気コネクタを有し、上記少なくとも１つの電気コネクタが第１の燃料電池を少なくとも１つの第２の燃料電池に接続する技術的特徴１記載の燃料電池組立体。
［技術的特徴１５］
上記少なくとも１つの電気コネクタは上記フレームの表面に配される技術的特徴１４記載の燃料電池組立体。
［技術的特徴１６］
上記少なくとも１つの電気コネクタは上記フレームまたは上記背面カバー内に埋め込まれる技術的特徴１４記載の燃料電池組立体。
［技術的特徴１７］
上記第１の燃料電池は上記少なくとも１つの第２の燃料電池と電気的に直列に接続される技術的特徴１４記載の燃料電池組立体。
［技術的特徴１８］
上記第１の燃料電池は上記少なくとも１つの第２の燃料電池と電気的に並列に接続される技術的特徴１４記載の燃料電池組立体。
［技術的特徴１９］
少なくとも１つの電池コネクタが上記少なくとも１つの燃料電池を装置に接続するように構成される技術的特徴１４記載の燃料電池組立体。
［技術的特徴２０］
機能部品に電気的に接続された少なくとも１つの燃料電池を有する電力モジュールにおいて、上記機能部品は上記少なくとも１つの燃料電池から生成された電気を収集し上記電気を調整した後に当該調整した電気を電子装置に供給し、上記少なくとも１つの燃料電池および上記機能部品が単一構造によって支持される電力モジュール。
［技術的特徴２１］
内部に複数の開口を形成してアレイを構成するフレームと、
上記燃料電池のアノード側において上記フレームとシール状態で取り付けられる背面カバーと、
上記背面カバーに結合され、燃料を含有する燃料サプライに結合可能な燃料入口と、
上記フレームおよび上記背面カバーの間に形成されたチャンバーとを有し、
上記チャンバーは、上記燃料サプライと流体的に結合可能であり、上記燃料電池の各々は上記チャンバーと流体的に接触し、燃料が上記燃料サプライから上記チャンバーを介して分散されて上記燃料電池のアノード側部に供給され、
上記少なくとも１つの燃料電池が上記複数の開口の少なくとも１つの内部にシール状態で配される技術的特徴２０記載の電力モジュール。
［技術的特徴２２］
上記燃料サプライは燃料カートリッジを有する技術的特徴２０記載の電力モジュール。
［技術的特徴２３］
上記機能部品はＤＣ−ＤＣコンバータ、オペアンプ、および電力安定化器からなるグループから選択される技術的特徴２０記載の電力モジュール。
［技術的特徴２４］
上記機能部品は特定用途向け集積回路（ＡＳＩＣ）チップである技術的特徴２０記載の電力モジュール。
［技術的特徴２５］
上記機能部品は上記フレーム内の上記複数の開口の１つの内部に位置決めされる技術的特徴２０記載の電力モジュール。
［技術的特徴２６］
上記機能部品は上記燃料電池の少なくとも１つ、および電子装置に電気的に接続される技術的特徴２０記載の電力モジュール。
［技術的特徴２７］
上記電子装置はバッテリ、電話、ラップトップ装置、ＭＰ３再生装置、ＧＰＳ装置、およびＰＤＡからなるグループから選択される技術的特徴２６記載の電力モジュール。
［技術的特徴２８］
上記電力モジュールは、電圧が約３Ｖから約７Ｖの範囲で、アンペアが約１５０ｍＡから約２５０ｍＡの範囲である電流を出力する技術的特徴２６記載の電力モジュール。
［技術的特徴２９］
少なくとも２つの燃料電池が少なくとも２つの異なるプレーンに配すことが可能であるように上記フレームおよびカバーが少なくとも１つの軸に沿って調整可能である技術的特徴２０記載の電力モジュール。
［技術的特徴３０］
（ｉ）少なくとも１つの燃料電池および単一のプリント基板（ＰＣＢ）に配された機能部品を設けるステップと、
（ｉｉ）燃料を燃料サプライから上記少なくとも１つの燃料電池に搬送して燃料電池反応を開始させて初期電流を生成するステップと、
（ｉｉｉ）上記機能部品は上記フレーム側に配されて上記アレイ中の上記少なくとも１つの燃料電池と、電子装置とに電気的に接続されており、上記機能部品を用いて上記初期電流を利用可能電流に変換するステップと、
（ｉｖ）上記利用可能電流を上記機能部品から上記電子部品に搬送するステップとを有する、電子装置に電気を供給する方法。
［技術的特徴３１］
ステップ（ｉ）は、少なくとも１つの燃料電池のアレイを設けるステップを有し、燃料電池の各々はアノード側部およびカソード側部を有し、上記アレイはフレーム中に配列され、背面カバーが上記フレームとシール状態で取り付けられて上記燃料電池の上記アノード即部および上記背面カバーの間にチャンバーが形成される技術的特徴３０記載の方法。
［技術的特徴３２］
上記機能部品は特定用途向け集積回路（ＡＳＩＣ）チップである技術的特徴３０記載の方法。
［技術的特徴３３］
上記燃料サプライは燃料カートリッジを有する技術的特徴３０記載の方法。
［技術的特徴３４］
ステップ（ｉｉｉ）はさらに上記初期電流を電力安定化させるステップをさらに有する技術的特徴３０記載の方法。
［技術的特徴３５］
ステップ（ｉｉｉ）はさらに電流レベルをＤＣ−ＤＣコンバータを用いて調整するステップをさらに有する技術的特徴３０記載の方法。
［技術的特徴３６］
ステップ（ｉｉｉ）はさらに電圧を上記オペアンプを用いて増幅するステップをさらに有する技術的特徴３０記載の方法。
［技術的特徴３７］
上記単一構造はプリント基板である技術的特徴２０記載の電力モジュール。
［技術的特徴３８］
上記少なくとも１つの電気コネクタはワイヤボンディングにより形成される技術的特徴１６記載の燃料電池組立体。
［技術的特徴３９］
上記少なくとも１つの電気コネクタはある量の導電性接着剤を有する技術的特徴１６記載の燃料電池組立体。
［技術的特徴４０］
上記少なくとも１つの電気コネクタはある量の低融点金属を有する技術的特徴１６記載の燃料電池組立体。